(57)【要約】【課題】本発明は、ガラス板にとって良好なクッション性を備えるとともに適度な硬さと良好な滑り性を備えたガラス板梱包体のシート材を提供する。【解決手段】実施の形態のガラス板梱包体１０のシート材５４は、上層に超高分子量ポリエチレンシート６０、中層に弾性発泡ポリウレタンシート６２、下層に粘着剤層６５を有する粘着シート６４からなる３層構造であり、超高分子量ポリエチレンシート６０にガラス板Ｇの下縁が載置され、粘着シート６４の粘着剤層６５が板材５２に貼着される。弾性発泡ポリウレタンシート６２によって、ガラス板Ｇにとって良好なクッション性を得ることができる。超高分子量ポリエチレンシート６０によって適度な硬さと良好な滑り性を有する表面性状を得ることができる。【選択図】図６
2010269819.tif 000002
【特許請求の範囲】
【請求項１】
上面に搭載面が形成された台座と、前記台座の前記搭載面に所定の角度で傾斜して設けられるとともにガラス板の下縁が支持される底板と、前記底板上に貼着されて前記ガラス板の下縁が載置されるシート材と、前記台座の搭載面に所定の角度で傾斜して立設されたフレーム部材と、前記フレーム部材に取り付けられるとともにガラス板の面を受ける背板とを備えたガラス板梱包体において、
前記シート材は、上層に超高分子量ポリエチレンシート、中層に弾性発泡ポリウレタンシート、下層に粘着剤層を有する３層構造であり、前記超高分子量ポリエチレンシートに前記ガラス板の下縁が載置され、前記粘着剤層が前記底板に貼着されることを特徴とするガラス板梱包体のシート材。
【請求項２】
前記弾性発泡ポリウレタンシートと前記超高分子量ポリエチレンシートとは接着剤によって接着されている請求項１に記載のガラス板梱包体のシート材
【請求項３】
前記超高分子量ポリエチレンシートが下面に粘着層を有し、前記弾性発泡ポリウレタンシートが上面に粘着層を有し、前記超高分子量ポリエチレンシートと前記弾性発泡ポリウレタンシートとが前記２つの粘着層を介して積層されている請求項１に記載のガラス板梱包体のシート材。
【発明の詳細な説明】
【技術分野】
【０００１】
本発明はガラス板梱包体のシート材に係り、特に液晶ディスプレイやプラズマディスプレイ等の大型ガラス基板及びその製造過程における中間製品の大型ガラス板を梱包するガラス板梱包体であって、梱包されたガラス板の下縁が載置されるクッション機能を備えたシート材に関する。
【背景技術】
【０００２】
近年、液晶ディスプレイ用ガラス基板、プラズマディスプレイ用ガラス基板等のフラットパネルディスプレイに用いられるガラス板の大型化のニーズが高まっている。従来、このような大型のガラス板を輸送するガラス板梱包体として、特許文献１、２に開示された縦置きのガラス板梱包体が知られている。
【０００３】
このガラス板梱包体は、台座、底板、及び背板等から構成されており、台座の上面には搭載面が形成され、この搭載面は、機械加工により所定の平坦度に仕上げられている。この搭載面上に前記底板が所定の傾斜角度で設置され、この底板上にガラス板の下縁が載置される。背板も同様に前記搭載面上に所定の角度で立設され、この背板にガラス板の面が受けられる。また、ガラス板梱包体には、背板に受けられたガラス板の側方部に当接されてガラス板の側方移動を規制する側方押え部材が設けられているものもある。したがって、ガラス板は、背板の傾斜角度をもって底板上に積載されるとともに側方押え部材によって側方の位置ずれが規制された状態で、すなわち、ガラス板梱包体に対して位置決めされた状態でガラス板梱包体に梱包される。
【０００４】
ところで、特許文献１、２に開示された縦置きのガラス板梱包体に積層したガラス板においては、板厚が薄くなると（例えば、板厚０．４〜１．８ｍｍ）、輸送等の振動で、底板と接触しているガラス板の下縁から割れ易くなるという傾向がある。この原因は、ガラス板の板厚が薄いことでガラスの端面に残る切断時の応力が影響していると考えられている。
【０００５】
そこで、ガラス板梱包体の底板上には、ガラス板の端面の割れを防止するために、クッション機能を備えたシート材が貼着されている。特許文献１に開示されたシート材は、弾性率が高く、弾性回復率の高い素材でかつ、ガラス板下縁との摩擦によっても埃が出にくく、脱ガスの少ない材料であるポリエチレン系又はエラストマが使用されている。また、特許文献２に開示されたシート材は、ゴムや発泡性樹脂等のクッション材が使用されている。
【先行技術文献】
【特許文献】
【０００６】
【特許文献１】特開２００５−１３２４９０号公報
【特許文献２】特開２００５−２９８０６２号公報
【発明の概要】
【発明が解決しようとする課題】
【０００７】
しかしながら、特許文献１、２のシート材は、その素材の性質によりガラス板に対するクッション性は備えているものの、クッション性が良好であるが故に、例えば底板の表面に凹凸があった場合、その凸部にガラス板の下縁がシート材を介して点支持されてしまうことから、その点支持部に応力が集中してガラス板の下縁が割れ易くなるという問題があった。また、シート材の軟質な表面が、振動するガラス板の下縁で削られていき、クッション性が早期に悪化するという問題もあった。
【０００８】
一方、ガラス板をガラス板梱包体に積層していく際に、ガラス板の下部のガラス板同士の間隔がどうしても広がっていく傾向にある。この場合には、背板と対向する側である最も表面側に位置するガラス板を背板側に押し込んでガラス板の下部のガラス板同士の隙間を詰めていく作業を行う。その際、詰められていくガラス板の下縁は、クッション性を備えたシート材にある程度めり込んでいるため滑り性が悪く、過度の力をガラス板に加えるとガラス板の下縁が損傷するという問題があった。このような問題は、輸送時の振動でも発生していた。
【０００９】
したがって、ガラス板のシート材に要求される性能としては、クッション性は勿論のこと、ガラス板の下縁によって容易に削られない表面硬さと、ガラス板の下縁を円滑に滑らせる滑り性表面とを備えることが望まれている。
【００１０】
本発明は、このような事情に鑑みてなされたもので、ガラス板にとって良好なクッション性を備えるとともに適度な硬さと良好な滑り性を有する表面性状を備えたガラス板梱包体のシート材を提供することを目的とする。
【課題を解決するための手段】
【００１１】
本発明は、前記目的を達成するために、上面に搭載面が形成された台座と、前記台座の前記搭載面に所定の角度で傾斜して設けられるとともにガラス板の下縁が支持される底板と、前記底板上に貼着されて前記ガラス板の下縁が載置されるシート材と、前記台座の搭載面に所定の角度で傾斜して立設されたフレーム部材と、前記フレーム部材に取り付けられるとともにガラス板の面を受ける背板とを備えたガラス板梱包体において、前記シート材は、上層に超高分子量ポリエチレンシート、中層に弾性発泡ポリウレタンシート、下層に粘着剤層を有する３層構造であり、前記超高分子量ポリエチレンシートに前記ガラス板の下縁が載置され、前記粘着剤層が前記底板に貼着されることを特徴とするガラス板梱包体のシート材を提供する。
【００１２】
本発明によれば、３層構造のシート材のうち中層の弾性発泡ポリウレタンシートによって、ガラス板にとって良好なクッション性（衝撃吸収性）を得ることができる。この弾性発泡ポリウレタンシートは、圧縮にも強く復元性もよい。また、３層構造のシート材のうち上層の超高分子量ポリエチレンシートによって適度な硬さと良好な滑り性を得ることができる。この超高分子量ポリエチレンシートは、ガラス板の下縁によって削られない程度の適度な硬さと滑りのよい表面性状を有する。
【００１３】
すなわち、本発明のシート材によれば、弾性発泡ポリウレタンシートによってガラス板に加わる輸送時の振動を吸収することができ、かつ、底板表面の凸凹も吸収することができる。また、弾性発泡ポリウレタンシートシートの上層に超高分子量ポリエチレンシートが積層されているため、底板表面の凸凹は弾性発泡ポリウレタンシートを介して超高分子量ポリエチレンシートに転写しない。よって、ガラス板の下縁が凸部で点支持されることに起因するガラス板の下縁の割れを防止できる。なお、弾性発泡ポリウレタンシートの発泡倍率は、ガラス板の質量及び通常考えられる振動の大きさ等に応じて設定されるものである。また、超高分子量ポリエチレンシートの厚さは、弾性発泡ポリウレタンシートによるクッション性を損なわない厚さに設定されるものである。更に、下層の粘着剤層は、片面又は両面に粘着剤層を有する粘着シートによって構成することもできる。
【００１４】
本発明の前記弾性発泡ポリウレタンシートと前記超高分子量ポリエチレンシートとは接着剤によって接着されていることが好ましい。このように弾性発泡ポリウレタンシートと超高分子量ポリエチレンシートとを接着剤で固定した場合は、シート材の交換時において、シート材全体をガラス板梱包体の底板から取り外して交換すればよい。
【００１５】
本発明によれば、前記超高分子量ポリエチレンシートが下面に粘着層を有し、前記弾性発泡ポリウレタンシートが上面に粘着層を有し、前記超高分子量ポリエチレンシートと前記弾性発泡ポリウレタンシートとが前記２つの粘着層を介して積層されていることが好ましい。
【００１６】
本発明の粘着層とは、互いの密着面が水平方向には滑らずに垂直方向では容易に剥離する表面性状を有する層を指す。一方でガラス板の下縁と接触している超高分子量ポリエチレンシートは、必要に応じてその都度メンテナンスが必要で着脱が容易にできることが求められている。したがって、本発明の如く、超高分子量ポリエチレンシートを２つの粘着層を介して弾性発泡ポリウレタンシートに積層すると、超高分子量ポリエチレンシートを弾性発泡ポリウレタンシートに対して垂直方向に剥がすことにより、超高分子量ポリエチレンシートを容易に取り外すことができるので、超高分子量ポリエチレンシートのメンテナンス性が向上する。面取前のガラス板は縁部が粗く、その縁部や縁部から剥離したカレットが超高分子量ポリエチレンシートにダメージを与えて超高分子量ポリエチレンシートの寿命が短くなることが考えられる。本発明では、超高分子量ポリエチレンシートのみを容易に取り外すことができるので、このような面取前のガラス板の梱包体に有効となる。
【００１７】
なお、粘着層の互いの密着面が水平方向に滑る表面性状を有すると、ガラス板の輸送時の振動でガラス板を積載した超高分子量ポリエチレンシートがガラス板梱包体に対して水平方向に位置ずれする場合があるため好ましくない。つまり、ガラス板梱包体からのガラス板の搬出は、吸着部を備えたロボットによって行われるのが一般的であり、上述の如くガラス板を積載した超高分子量ポリエチレンシートの位置がずれると、ロボットの吸着部のガラス板に対する吸着位置がずれてしまうため、その後に行われる工程に悪影響を与える。よって、本発明の如く、互いの密着面が水平方向に滑らない表面性状を粘着層に持たすことにより、上記不具合を解消できる。
【００１８】
本発明では、シート材の上層を超高分子量ポリエチレンシートとしたが、弾性発泡ポリウレタンシートを成型する際に発生する、弾性発泡ポリウレタンシート表面の密度の高いスキン層を超高分子量ポリエチレンシートの代用としてもよい。
【発明の効果】
【００１９】
以上説明したように本発明のガラス板梱包体のシート材によれば、ガラス板にとって良好なクッション性を備えるとともに適度な硬さと良好な滑り性を備えることができる。
【図面の簡単な説明】
【００２０】
【図１】実施の形態のガラス板梱包体の全体斜視図
【図２】図１に示したガラス板梱包体の右側面図
【図３】図１に示したガラス板梱包体の組立斜視図
【図４】図１に示したガラス板梱包体のブラケットの拡大斜視図
【図５】図４に示したブラケットの要部拡大図
【図６】（Ａ）は第１の実施の形態のシート材の構成を示した説明図、（Ｂ）は第２の実施の形態のシート材の構成を示した説明図、（Ｃ）は変形例のシート材の構成を示した説明図
【発明を実施するための形態】
【００２１】
以下、添付図面に従って本発明に係るガラス板梱包体のシート材の好ましい実施の形態について説明する。
【００２２】
図１は、実施の形態のシート材が取り付けられたガラス板梱包体１０の全体斜視図、図２は、図１に示したガラス板梱包体１０の右側面図である。なお、図２においては、図１に示した側方押え部材１２を省略して示している。このガラス板梱包体１０は、特にプラズマディスプレイ用ガラス板を縦置き状態で梱包するものであって、例えば４２インチのガラス板を４枚又は６枚取り可能な大サイズのガラス板Ｇを、図２の二点鎖線で示す合紙１４を挟んで梱包するガラス板梱包体であり、ガラス板Ｇを斜めに立て掛けた状態で梱包する梱包体である。なお、ガラス板梱包体１０の用途は、これに限定されるものではなく、多種のガラス板の梱包体として適用することができる。
【００２３】
これらの図に示すガラス板梱包体１０は、上面に搭載面１６が形成された台座１８と、台座１８の搭載面１６に対し約１５°の角度（θ１）で傾斜して設けられるとともにガラス板Ｇの下縁が載置される底板２０と、台座１８の搭載面１６に対し約１０５°（底板２０に対して約９０°（θ２））の角度で傾斜して立設されたフレーム部材２２と、フレーム部材２２の前面に取り付けられるとともにガラス板Ｇの面を受ける背板２４とを備えている。
【００２４】
また、ガラス板梱包体１０には、底板２０を所定の角度をもって支持する底板受け部材２６とフレーム部材２２を所定の角度をもって支持するフレーム受け部材２８とが一体的に構成された略Ｌ字状のブラケット３０を有している。このブラケット３０の平坦な底部３２が台座１８の平坦な搭載面１６に複数本のボルト（リベットでもよい）３４、３４…によって所定の位置に締結固定されている。
【００２５】
台座１８は、長短多数本の鋼材を縦横、高さ方向に溶着することにより構成され、溶着組み立て後に機械加工（研削加工）によってその搭載面１６が所定の平坦度に加工されている。また、台座１８の前後方向の面にはフォークリフトの爪（不図示）が挿抜される開口部３６、３６…が形成されている。
【００２６】
一方、図２に示した合紙１４は、ガラス板Ｇ同士が直接接触するのを防止するためにガラス板Ｇ、Ｇ…間に挟むシートである。この合紙１４は、合紙１４が含有する樹脂分がガラス板Ｇの表面に転写されて紙肌模様や焼けや汚れが生じることを防ぐため、紙の平滑度が２０秒以下、好ましくは１８秒以下の粗面とされている。これにより、ガラス板Ｇの表面との接触面積が減少するので、樹脂分の転写を防ぐことができ、また、紙の樹脂分を０．１％以下、好ましくは０．０５％以下とすることにより、粗面との複合作用によりガラス板Ｇの品質を保持することができる。したがって、合紙１４によるパーティクル等（パルプや微少樹脂分の屑等）の発生があったとしても、ガラス板Ｇがガラス板梱包体１０に立て掛けられて梱包することと相まって、ガラス板Ｇの表面にパーティクル等は固着せず、その後のガラス板Ｇの洗浄等により容易に除去される。
【００２７】
また、合紙１４はガラス板Ｇの表面積よりも大きく、ガラス板Ｇを載置した際に左右及び上方に合紙１４がはみ出た状態となることが好ましい。左右にはみ出た合紙１４は、それらを同一方向（背板２４の方向または該背板２４と対向する方向）にならされて、この後、側方押え部材１２、１２によってガラス板Ｇの縦縁に押圧される。このとき、側方押え部材１２、１２は、合紙１４を介してガラス板Ｇを固定するため、側方押え部材１２、１２がガラス板Ｇに直接接触することはなく、搬送中のガラス板Ｇの損傷を低減できる。なお、ガラス板Ｇを確実に側方押え部材１２、１２によって固定することができるように、底板２０及び背板２４の左右の幅はガラス板Ｇの幅よりも小さいことが好ましい。これにより、ガラス板Ｇの上方に突出した合紙１４により、ガラス板Ｇを取り出す際に、合紙１４を押えながらガラス板Ｇを取り出すことができ、搬送中に押し付けられて密着したガラス板Ｇと合紙１４とを容易に分離することができる。
【００２８】
ところで、ブラケット３０は、図３の組立斜視図において、矩形の箱体状に組み立てられた台座１８の長手方向に沿って所定の間隔をもって５台設置されている。これらのブラケット３０、３０…は、鋳型による鋳造品であり、各々のブラケット３０、３０…は同一寸法に製作されている。
【００２９】
ブラケット３０は、図４の斜視図に示すように、主として平板状に形成された底部３２と、底部３２に対して約１５°傾斜した底板受け部材２６と、底板受け部材２６に対して約９０°傾斜したフレーム受け部材２８とから構成される。また、底部３２と底板受け部材２６との間には、底板受け部材２６にかかる荷重を受ける荷重受け部３８が形成され、更に、底部３２とフレーム受け部材２８との間には、フレーム受け部材２８にかかる荷重を受ける荷重受け部４０が形成されている。これにより、ブラケット３０は、全体として略Ｌ字形状に形成されている。また、ブラケット３０の軽量化を図るために、底部３２とフレーム受け部材２８との間に三角形状の開口部４２が形成されている。更に、底部３２には、ボルト３４を挿通するためのボルト用貫通孔４４、４４…が形成され、更にまた、フレーム受け部材２８にも、フレーム受け部材２８にフレーム部材２２をボルト（図２参照）４６、４６…によって固定するためのボルト用貫通４８、４８…が形成されている。
【００３０】
上記の如く製作されたブラケット３０、３０…は、図３の台座１８の搭載面１６上において、図２に示す底板２０と背板２４との交点Ｐが台座前面エッジラインＬに対して同寸法（水平距離寸法ａ）離れた位置に整列してボルト３４、３４…により台座１８の搭載面１６に固定される。
【００３１】
これにより、実施の形態のガラス板梱包体１０によれば、各々のブラケット３０、３０…の前記交点Ｐ、Ｐ…同士を結んだ図３の直線Ａの、台座前面エッジライン（台座背面エッジラインでもよい）Ｌに対する平行度と高さ寸法（ｂ：図２参照）とが高い精度となっている。また、ブラケット３０は鋳物なので、底板受け部材２６の傾斜角度（約１５°）、及びフレーム受け部材２８の傾斜角度（約９０°）も高い精度となっている。なお、ブラケット３０は鋳物であり、製作後に底板受け部材２６とフレーム受け部材２８の各面を研削加工する必要がある。このため、その研削加工を容易にすることから、底板受け部材２６とフレーム受け部材２８との交点Ｐ近傍は、図５の如く円弧状に中刳りされている。よって、交点Ｐは中刳り部５０内に位置する仮想点となっている。
【００３２】
一方、底板受け部材２６に取り付けられる底板２０は、図３の如く矩形状に形成されたアルミニウム製の板材５２からなり、この板材５２に第１の実施の形態の２枚のシート材５４、５４が接着されている。また、板材５２は、両面接着シート又はリベットによって各ブラケット３０、３０…の底板受け部材２６、２６…に取り付けられる。この板材５２によって底板２０の強度が保持され、その上面に接着されるシート材５４、５４によってガラス板Ｇに対するクッション性、適度な硬さ、及び良好な滑り性が高められている。
【００３３】
なお、実施の形態では、シート材５４を２枚使用し、これを板材５２上に並べて配置したが、これに限定されるものではなく、製造上可能であれば板材５２と同サイズの１枚のシート材５４を使用してもよい。
【００３４】
また、フレーム受け部材２８に取り付けられる背板２４は、２枚の樹脂製板材（例えばポリプロピレンからなるプラスチック段ボール）５６、５６であり、この背板２４も板材５２と同様に両面接着シート、又はリベットによってフレーム部材２２の前面に取り付けられる。
【００３５】
次に、第１の実施の形態のシート材５４の特徴について説明する。
【００３６】
このシート材５４は図６（Ａ）に示すように、上層に超高分子量ポリエチレンシート６０、中層に弾性発泡ポリウレタンシート６２、下層に粘着剤層６５を有する粘着シート６４からなる３層構造であり、超高分子量ポリエチレンシート６０にガラス板Ｇの下縁が載置され、粘着シート６４の粘着剤層６５が板材５２（図３参照）に貼着される。なお、符号６６は離型紙であり、この離型紙６６を粘着シート６４から剥がすことにより粘着シート６４の粘着剤層６５が露出され、粘着剤層６５によって粘着シート６４が板材５２に接着される。なお、下層の粘着剤層として、実施の形態では粘着剤層６５を有する粘着シート６４を使用したが、この粘着シート６４の代わりに、弾性発泡ポリウレタンシート６２の下面に粘着剤層６５を直接設けるようにしてもよい。
【００３７】
また、粘着シート６４と弾性発泡ポリウレタンシート６２は、接着剤６３によって貼り付けられ、そして、弾性発泡ポリウレタンシート６２と超高分子量ポリエチレンシート６０も同様に接着剤６１によって貼り付けられている。
【００３８】
第１の実施の形態のシート材５４によれば、３層構造のシート材５４のうち中層の弾性発泡ポリウレタンシート６２によって、ガラス板Ｇにとって良好なクッション性（衝撃吸収性）を得ることができる。この弾性発泡ポリウレタンシート６２は、圧縮にも強く復元性もよい。また、３層構造のシート材５４のうち上層の超高分子量ポリエチレンシート６０によって適度な硬さと良好な滑り性を得ることができる。この超高分子量ポリエチレンシート６０は、ガラス板Ｇの下縁によって削られない程度の適度な硬さと滑りのよい表面性状を有する。
【００３９】
すなわち、第１の実施の形態のシート材５４によれば、弾性発泡ポリウレタンシート６２によってガラス板Ｇに加わる輸送時の振動を吸収することができ、かつ、板材５２の表面の凸凹も吸収することができる。また、弾性発泡ポリウレタンシート６２の上層に超高分子量ポリエチレンシート６０が積層されているため、板材５２の表面の凸凹は弾性発泡ポリウレタンシートを介して超高分子量ポリエチレンシート６０に転写しない。よって、ガラス板Ｇの下縁が、板材５２の表面の凸部で点支持されることに起因するガラス板Ｇの下縁の割れを防止できる。
【００４０】
なお、弾性発泡ポリウレタンシート６２としては、ポバール興業株式会社製の弾性発泡ポリウレタンシート（商品名：ＴＲ４００５Ｈ）を例示でき、この弾性発泡ポリウレタンシートは、発泡倍率が４０倍、厚さが約４．３ｍｍ、最大圧縮率が約５％のものである。
【００４１】
また、超高分子量ポリエチレンシート６０としては、新作工業製の超高分子量ポリエチレンシート（商品名：Saxinニューライトフィルム（型式５０Ｗ）、商品名：ニューライトテープ）を例示でき、厚さが約０．５ｍｍであり、その表面の静摩擦係数は０．２〜０．３であり、硬度は６８（ＨＤＤ）でる。
【００４２】
更に、粘着シート６４としては、積水化学工業株式会社製の粘着シート（商品名：ダブルタックテープ（型式５７６１））、又は日立化成ポリマー株式会社製の粘着シート（商品名：感圧形（粘着）両面接着テープ（型式１３−７１０、１２−５８５））を例示でき、厚さは約０．２ｍｍである。したがって、シート材５４の厚さは約５ｍｍであり、機能的には５ｍｍあれば十分である。
【００４３】
上述した弾性発泡ポリウレタンシート６２の発泡倍率は、ガラス板Ｇの質量及び通常考えられる振動の大きさ等に応じて設定されるものである。また、超高分子量ポリエチレンシート６０の厚さは、弾性発泡ポリウレタンシート６２によるクッション性を損なわない厚さに設定されるものである。
【００４４】
また、第１の実施の形態のシート材５４は、超高分子量ポリエチレンシート６０と弾性発泡ポリウレタンシート６２を接着剤６１によって接着している。このように接着剤６１で接着固定した場合は、シート材５４の交換時において、シート材５４全体を板材５２から取り外して交換する。
【００４５】
図６（Ｂ）は、第２の実施の形態のシート材７０の構成を示した説明図である。
【００４６】
同図に示すシート材７０は、超高分子量ポリエチレンシート６０と弾性発泡ポリウレタンシート６２を接着剤６１で接着せず、２つの粘着層７２、７４を用いて超高分子量ポリエチレンシート６０を弾性発泡ポリウレタンシート６２に対して着脱自在に積層したものである。
【００４７】
すなわち、超高分子量ポリエチレンシート６０の下面に粘着層７２が接着剤７１で貼り合わされ、弾性発泡ポリウレタンシート６２の上面に粘着層７４が接着剤７３で貼り合わされている。よって、超高分子量ポリエチレンシート６０は、弾性発泡ポリウレタンシート６２に２つの粘着層７２、７４を介して積層されている。粘着層７２、７４とは、互いの密着面７５が水平方向には滑らずに垂直方向では容易に剥離する表面性状を有する層を指す。
【００４８】
ガラス板Ｇの下縁と接触している超高分子量ポリエチレンシート６０は、必要に応じてその都度メンテナンスが必要で着脱が容易にできることが求められている。第２の実施の形態のシート材７０の如く、超高分子量ポリエチレンシート６０を上下の粘着層７２、７４を介して弾性発泡ポリウレタンシート６２に積層すると、超高分子量ポリエチレンシート６０を弾性発泡ポリウレタンシート６２に対して垂直方向に剥がすことにより、容易に取り外すことができるので、超高分子量ポリエチレンシート６０のメンテナンス性が向上する。
【００４９】
面取前のガラス板は縁部が粗く、その縁部や縁部から剥離したカレットが超高分子量ポリエチレンシート６０の表面にダメージを与えて超高分子量ポリエチレンシート６０の寿命が短くなることが考えられる。第２の実施の形態では、超高分子量ポリエチレンシート６０のみを容易に取り外すことができるので、このような面取前のガラス板の梱包体に有効となる。
【００５０】
また、粘着層７２、７４の互いの密着面７５が水平方向に滑る表面性状を有すると、ガラス板Ｇの輸送時の振動でガラス板Ｇを積載した超高分子量ポリエチレンシート６０がガラス板梱包体１０に対して水平方向に位置ずれする場合があるため好ましくない。つまり、ガラス板梱包体１０からのガラス板Ｇの搬出は、吸着部を備えたロボットによって行われるのが一般的であり、上述の如くガラス板Ｇを積載した超高分子量ポリエチレンシート６０の位置がずれると、ロボットの吸着部のガラス板Ｇに対する吸着位置がずれてしまうため、その後に行われる工程に悪影響を与える。よって、第２の実施の形態のシート材７０の如く、互いの密着面７５が水平方向に滑らない表面性状を粘着層７２、７４に持たすことにより、上記不具合を解消できる。
【００５１】
図６（Ｃ）は、変形例のシート材８０の構成を示した説明図である。
【００５２】
このシート材８０は、弾性発泡ポリウレタンシート６２と粘着剤層６５を有する粘着シート６４の２層構造である。第１及び第２のシート材５４、７０では、その上層を超高分子量ポリエチレンシート６０としたが、シート材８０の如く、弾性発泡ポリウレタンシート６２を成型する際に発生する、弾性発泡ポリウレタンシート表面の密度の高いスキン層８２を超高分子量ポリエチレンシート６０の代用とすることができる。
【符号の説明】
【００５３】
１０…ガラス板梱包体、１２…側方押え部材、１４…合紙、１６…搭載面、１８…台座、２０…底板、２２…フレーム部材、２４…背板、２６…底板受け部材、２８…フレーム受け部材、３０…ブラケット、３２…底部、３４…ボルト、３６…開口部、３８…荷重受け部、４０…荷重受け部、４２…開口部、４４…ボルト用貫通孔、４６…ボルト、４８…ボルト用貫通、５０…中刳り部、５２…板材、５４…シート材、５６…樹脂製板材、６０…超高分子量ポリエチレンシート、６１…接着剤、６２…弾性発泡ポリウレタンシート、６３…接着剤、６４…粘着シート、６５…粘着剤層、６６…離型紙、７０…シート材、７２、７４…粘着層、８０…シート材、８２…スキン層
【図１】
2010269819.tif 000003
【図２】
2010269819.tif 000004
【図３】
2010269819.tif 000005
【図４】
2010269819.tif 000006
【図５】
2010269819.tif 000007
【図６】
2010269819.tif 000008